(57)【要約】【課題】より正確に情報を伝送する。【解決手段】空気調和装置の制御装置は、第１変圧器（52）の２次側から交流が供給されるリモートコントローラ（72）と、第２変圧器（54）の２次側に接続された全波整流回路（63）と、全波整流回路（63）で整流された電流が供給されるプロセッサ（67）とを有する。全波整流回路（63）の出力側の一端は第１変圧器（52）の２次側の一端と接続されている。リモートコントローラ（72）は、第１変圧器（52）の２次側に接続されたスイッチ（92A,92B,92C,92D）を有し、スイッチ（92A,92B,92C,92D）の状態を示す情報を、リモートコントローラ（72）とプロセッサ（67）とを接続する信号線（78A,78B,78C,78D）における交流電圧の振幅によってプロセッサ（67）に伝送する。【選択図】図２
2016125669.tif 000002
【特許請求の範囲】
【請求項１】
空気調和装置の制御装置であって、
交流を変圧して出力する第１変圧器（52）と、
交流を変圧して出力する第２変圧器（54）と、
上記第１変圧器（52）の２次側から交流が供給されるリモートコントローラ（72）と、
上記第２変圧器（54）の２次側に接続された全波整流回路（63）と、
上記全波整流回路（63）で整流された電流が供給され、上記空気調和装置を制御するプロセッサ（67）とを備え、
上記全波整流回路（63）の出力ノードの１つは上記第１変圧器（52）の２次側の一端と接続され、
上記リモートコントローラ（72）は、上記第１変圧器（52）の２次側に接続されたスイッチ（92A,92B,92C,92D）を有し、上記スイッチ（92A,92B,92C,92D）の状態を示す情報を、上記リモートコントローラ（72）と上記プロセッサ（67）とを接続する信号線（78A,78B,78C,78D）における交流電圧の振幅によって上記プロセッサ（67）に伝送する
ことを特徴とする制御装置。
【請求項２】
請求項１において、
上記第１変圧器（52）の２次側に接続され、上記第１変圧器（52）から上記リモートコントローラ（72）に供給される電流が流れる第１ヒューズ（61）と、
上記第２変圧器（54）の２次側に接続され、上記第２変圧器（54）から上記プロセッサ（67）に供給される電流が流れる第２ヒューズ（62）とを更に備える
ことを特徴とする制御装置。
【請求項３】
請求項２において、
上記プロセッサ（67）は、上記第１ヒューズ（61）が溶断したことを検出する
ことを特徴とする制御装置。
【発明の詳細な説明】
【技術分野】
【０００１】
本開示は、空気調和装置及びその制御装置に関する。
【背景技術】
【０００２】
従来から、空気調和装置においては、室内ユニットと室外ユニット等との間で通信が行われている。例えば下記特許文献１には、フォトダイオードとフォトトランジスタとを有するフォトカプラを用いて、室内ユニットと室外ユニットとの間で通信を行う例が記載されている。
【０００３】
一方、通信線の電圧振幅によって情報を伝送することも行われている。フォトカプラを用いないので、より低コストで通信を行うことができる。
【先行技術文献】
【特許文献】
【０００４】
【特許文献１】特開平６−０９４２８９号公報
【発明の概要】
【発明が解決しようとする課題】
【０００５】
しかし、フォトカプラを用いない場合には、通信線は交流電源や受信回路等から電気的に絶縁されていないので、通信が、ノイズや、送信回路と受信回路との間の電位のオフセット等の影響を受けやすいという問題がある。
【０００６】
また、このような、通信線の電圧振幅によって情報を伝送するような空気調和装置においては、通常、受信回路には半波整流された直流が供給されている。このような受信回路には、高効率化を図るために、全波整流された直流を供給することが望まれている。しかし、通信先の機器等と同じ交流電源に全波整流回路を接続すると、全波整流回路の出力は交流電源に対してフローティング状態となり、通信に悪影響を与えるという問題もある。
【０００７】
本発明は、通信線の電圧振幅によって情報を伝送する場合に、より正確に情報を伝送することを目的とする。
【課題を解決するための手段】
【０００８】
本開示による第１の発明は、空気調和装置の制御装置であって、交流を変圧して出力する第１変圧器（52）と、交流を変圧して出力する第２変圧器（54）と、上記第１変圧器（52）の２次側から交流が供給されるリモートコントローラ（72）と、上記第２変圧器（54）の２次側に接続された全波整流回路（63）と、上記全波整流回路（63）で整流された電流が供給され、上記空気調和装置を制御するプロセッサ（67）とを有する。上記全波整流回路（63）の出力ノードの１つは上記第１変圧器（52）の２次側の一端と接続される。上記リモートコントローラ（72）は、上記第１変圧器（52）の２次側に接続されたスイッチ（92A,92B,92C,92D）を有し、上記スイッチ（92A,92B,92C,92D）の状態を示す情報を、上記リモートコントローラ（72）と上記プロセッサ（67）とを接続する信号線（78A,78B,78C,78D）における交流電圧の振幅によって上記プロセッサ（67）に伝送する。
【０００９】
これによると、全波整流回路（63）は、第２変圧器（54）の２次側に接続され、全波整流回路（63）の出力ノードの１つは第１変圧器（52）の２次側の一端と接続される。第２変圧器（54）は第１変圧器（52）からは独立しているので、全波整流回路（63）の出力ノードを第１変圧器（52）の２次側の一端と接続しても、問題は生じない。この場合、リモートコントローラ（72）とプロセッサ（67）とは、共通の電位に基づいて動作する。このため、リモートコントローラ（72）は、スイッチ（92A,92B,92C,92D）の状態に対応した振幅の交流電圧を信号線（78A,78B,78C,78D）に出力し、スイッチ（92A,92B,92C,92D）の状態を示す情報を正しくプロセッサ（67）に伝送することができる。
【００１０】
本開示による第２の発明は、第１の発明において、上記第１変圧器（52）の２次側に接続され、上記第１変圧器（52）から上記リモートコントローラ（72）に供給される電流が流れる第１ヒューズ（61）と、上記第２変圧器（54）の２次側に接続され、上記第２変圧器（54）から上記プロセッサ（67）に供給される電流が流れる第２ヒューズ（62）とを更に有する。
【００１１】
これによると、プロセッサ（67）に供給される電流は、第１ヒューズ（61）とは異なる第２ヒューズ（62）を流れる。このため、第１ヒューズ（61）が溶断しても、プロセッサ（67）は、空気調和装置（10）の制御を継続することができる。
【００１２】
本開示による第３の発明では、第２の発明において、上記プロセッサ（67）は、上記第１ヒューズ（61）が溶断したことを検出する。
【００１３】
これによると、プロセッサ（67）は、第１ヒューズ（61）が溶断したことを検出するので、空気調和装置（10）が正常に運転できないことをユーザに通知することができる。
【発明の効果】
【００１４】
本開示によれば、通信線の電圧振幅によって情報を伝送する場合に、より正確に情報を伝送することができる。
【図面の簡単な説明】
【００１５】
【図１】図１は、本発明の実施形態に係る空気調和装置の例を示す構成図である。
【図２】図２は、図１の室内ユニットとその周辺の電気回路の例を示す回路図である。
【図３】図３は、図２のリモートコントローラ及びインタフェース部の構成例を示す回路図である。
【図４】図４は、図３のインタフェース回路の構成例を示す回路図である。
【発明を実施するための形態】
【００１６】
以下、本発明の実施の形態について、図面を参照しながら説明する。図面において同じ参照番号で示された構成要素は、同一の又は類似の構成要素である。
【００１７】
図１は、本発明の実施形態に係る空気調和装置（10）の例を示す構成図である。図１の空気調和装置（10）は、熱源側ユニットである室外ユニット（11）と、利用側ユニットである室内ユニット（13）とを有する。なお、室内ユニット（13）の台数は、１台に限定されるものではなく、複数であってもよい。
【００１８】
室外ユニット（11）内には、熱源側回路である室外回路（21）が設けられている。室内ユニット（13）内には、利用側回路である室内回路（22）が設けられている。この空気調和装置（10）は、室外回路（21）と室内回路（22）とを液側連絡配管（23）及びガス側連絡配管（24）で接続することによって構成されて蒸気圧縮冷凍サイクルを行う冷媒回路（20）を有している。
【００１９】
室外ユニット（11）の室外回路（21）には、圧縮機（30）、室外熱交換器（熱源側熱交換器）（34）、膨張弁（膨張機構）（36）及びアキュムレータ（35）が設けられている。室外回路（21）の一端には、液側連絡配管（23）が接続される液側閉鎖弁（25）が設けられている。室外回路（21）の他端には、ガス側連絡配管（24）が接続されるガス側閉鎖弁（26）が設けられている。
【００２０】
液側閉鎖弁（25）には、液側サービスポート（27）が設けられている。液側サービスポート（27）は、液側閉鎖弁（25）の閉鎖位置の液側連絡配管（23）側に開口している。一方、ガス側閉鎖弁（26）には、ガス側サービスポート（28）が設けられている。ガス側サービスポート（28）は、ガス側閉鎖弁（26）の閉鎖位置のガス側連絡配管（24）側に開口している。これらのポート（27,28）は、冷媒回路（20）内の冷媒を回収する時や、冷媒回路（20）へ冷媒を充填する時に使用され、冷房運転時は閉鎖されている。
【００２１】
圧縮機（30）は、密閉型で高圧ドーム型の圧縮機により構成されている。圧縮機（30）の吐出側は、吐出管（40）を介して室外熱交換器（34）に接続されている。圧縮機（30）の吸入側は、吸入管（41）を介してガス側閉鎖弁（26）に接続されている。
【００２２】
室外熱交換器（34）は、クロスフィン式のフィン・アンド・チューブ型熱交換器により構成されている。室外ユニット（11）において、この室外熱交換器（34）の近傍には、室外ファン（12）が設けられている。この室外熱交換器（34）では、室外ファン（12）によって送られる室外空気と伝熱管を流通する冷媒との間で熱交換が行われる。室外熱交換器（34）の一端は、吐出管（40）を介して圧縮機（30）に接続されている。室外熱交換器（34）の他端は、液配管（42）を介して液側閉鎖弁（25）に接続されている。
【００２３】
液配管（42）には、室外熱交換器（34）と液側閉鎖弁（25）との間に膨張弁（36）が設けられている。この膨張弁（36）は開度可変の電子膨張弁により構成されている。
【００２４】
吸入管（41）には、アキュムレータ（35）が設けられている。アキュムレータ（35）は、密閉容器状に形成されて、圧縮機（30）が液冷媒を吸入しないように圧縮機（30）へ向かう冷媒から液冷媒を分離して内部に貯留するように構成されている。
【００２５】
室内ユニット（13）の室内回路（22）には、室内熱交換器（37）が設けられている。室内回路（22）の一端には、液側連絡配管（23）が接続される液側フレア継手（38）が設けられている。室内回路（22）の他端には、ガス側連絡配管（24）が接続されるガス側フレア継手（39）が設けられている。
【００２６】
室内熱交換器（37）は、クロスフィン式のフィン・アンド・チューブ型熱交換器により構成されている。この室内熱交換器（37）の近傍には、室内ファン（14）が設けられている。この室内熱交換器（37）では、室内ファン（14）によって送られる室内空気と伝熱管を流通する冷媒との間で熱交換が行われる。
【００２７】
次に、空気調和装置（10）の冷房運転動作について説明する。圧縮機（30）を運転すると、冷媒回路（20）では室外熱交換器（34）が凝縮器となって室内熱交換器（37）が蒸発器となる蒸気圧縮冷凍サイクルが行われる。膨張弁（36）の開度は適宜調節される。
【００２８】
この状態で、圧縮機（30）から吐出された冷媒は、室外熱交換器（34）で室外空気と熱交換して凝縮する。室外熱交換器（34）で凝縮した冷媒は、膨張弁（36）を通過する際に減圧され、その後に室内熱交換器（37）で室内空気と熱交換して蒸発する。室内熱交換器（37）で蒸発した冷媒は、圧縮機（30）へ吸入されて圧縮される。冷房運転時には、冷媒が以上のように冷媒回路（20）内を循環して室内が冷却される。
【００２９】
室内ユニット（13）は、空気調和装置（10）の制御装置（50）と、ヒーターキット（74）と、加湿ユニット（76）とを更に有する。制御装置（50）は、膨張弁（36）等、空気調和装置（10）の構成要素の動作を制御する。空気調和装置（10）は、リモートコントローラ（72）を更に有する。リモートコントローラ（72）は、制御装置（50）に接続されており、制御装置（50）に対して指示を送信する。
【００３０】
図２は、図１の室内ユニット（13）とその周辺の電気回路の例を示す回路図である。制御装置（50）は、交流供給用の変圧器（52）と、直流供給用の変圧器（54）と、制御回路（60）とを有している。制御回路（60）は、ヒューズ（61,62）と、全波整流回路（63）と、キャパシタ（64）と、レギュレータ（65）と、膨張弁駆動回路（66）と、プロセッサ（67）と、インタフェース部（68）とを有している。制御回路（60）は、例えば、プリント回路基板上に形成されている。プリント回路基板上には、変圧器（54）が更に搭載されていてもよい。
【００３１】
変圧器（52）の１次側は、交流電源（2）に接続されている。変圧器（52）の２次側は、ヒューズ（61）を介して、リモートコントローラ（72）、ヒーターキット（74）、及び加湿ユニット（76）に接続されている。変圧器（52）は、１次側に入力された交流を降圧して、２次側に出力する。２次側の一端は接地されている。
【００３２】
変圧器（54）の１次側は、交流電源（2）に接続されている。変圧器（54）の２次側は、ヒューズ（62）を介して整流回路（63）に接続されている。変圧器（54）は、１次側に入力された交流を降圧して、２次側に出力する。
【００３３】
整流回路（63）は、変圧器（54）から入力された交流を全波整流して、直流を出力する。整流回路（63）の出力ノード間には、キャパシタ（64）が接続されている。キャパシタ（64）は、全波整流回路（63）から出力された直流を平滑化する。レギュレータ（65）は、整流回路（63）の出力を所定の電圧に安定化して、膨張弁駆動回路（66）及びプロセッサ（67）に供給する。
【００３４】
膨張弁駆動回路（66）は、図１の膨張弁（36）を駆動する。プロセッサ（67）は、膨張弁駆動回路（66）の制御等、空気調和装置（10）の様々な制御を行う。プロセッサ（67）は、リモートコントローラ（72）から伝送された情報を、インタフェース部（68）を介して受信する。
【００３５】
ここで、整流回路（63）の２つの出力ノードのうち、低電位の出力ノード（NL）は、膨張弁駆動回路（66）及びプロセッサ（67）だけではなく、変圧器（52）の２次側の接地された一端にも接続されている。この一端にはリモートコントローラ（72）等も接続されている。このため、プロセッサ（67）とリモートコントローラ（72）とは、共通の電位に基づいて動作することができ、両者の間に電位のオフセットは生じない。
【００３６】
もし、整流回路（63）が変圧器（52）の２次側に接続されているとすると、整流回路（63）の出力ノード（NL）を、この変圧器（52）の２次側に直接接続することはできない。全波整流ができなくなるからである。これに対し、制御装置（50）は、変圧器（52）から独立している変圧器（54）を有し、整流回路（63）は、変圧器（54）の２次側に接続されているので、整流回路（63）の出力ノード（NL）を、変圧器（52）の２次側に直接接続することができる。
【００３７】
また、制御装置（50）は全波整流回路（63）を用いるので、半波整流をする場合に比べて、直流への変換効率を高くすることができる。その結果、変圧器（52）及び変圧器（54）の容量の合計を抑えることができる。
【００３８】
図３は、図２のリモートコントローラ（72）及びインタフェース部（68）の構成例を示す回路図である。リモートコントローラ（72）は、スイッチ（92A,92B,92C,92D）と、抵抗（94A,94B,94C,94D）と、プロセッサ（96）と、温度センサ（98）とを有している。インタフェース部（68）は、例えば４個のインタフェース回路（69）を有している。スイッチ（92A,92B,92C,92D）は、例えば、冷房を行うべきとき、暖房を行うべきとき、ファンを動作させるべきとき、及び除湿をすべきときに、それぞれ閉じられる。
【００３９】
スイッチ（92A）及び抵抗（94A）は、変圧器（52）の２次側の出力ノード間に直列に接続されている。スイッチ（92B）及び抵抗（94B）は、変圧器（52）の２次側の出力ノード間に直列に接続されている。スイッチ（92C）及び抵抗（94C）は、変圧器（52）の２次側の出力ノード間に直列に接続されている。スイッチ（92D）及び抵抗（94D）は、変圧器（52）の２次側の出力ノード間に直列に接続されている。
【００４０】
信号線（78A）は、スイッチ（92A）と抵抗（94A）との間のノードを、インタフェース回路（69）の１つに接続する。信号線（78B）は、スイッチ（92B）と抵抗（94B）との間のノードを、インタフェース回路（69）の他の１つに接続する。信号線（78C）は、スイッチ（92C）と抵抗（94C）との間のノードを、インタフェース回路（69）の他の１つに接続する。信号線（78D）は、スイッチ（92D）と抵抗（94D）との間のノードを、インタフェース回路（69）の他の１つに接続する。
【００４１】
図４は、図３のインタフェース回路（69）の構成例を示す回路図である。インタフェース回路（69）は、抵抗（81,82,83）と、ダイオード（84）と、ツェナーダイオード（86）とを有している。
【００４２】
インタフェース回路（69）に入力された信号は、ダイオード（84）で整流され、抵抗（82,83）で分圧され、ツェナーダイオード（86）で振幅が制限されて、プロセッサ（67）に入力される。プロセッサ（67）は、入力された信号の電圧が所定値より大きいか否かを判定する。つまり、プロセッサ（67）は、インタフェース回路（69）に入力された交流電圧の振幅に応じた情報を受信する。
【００４３】
スイッチ（92A,92B,92C,92D）は、通常は開いている。このとき、信号線（78A,78B,78C,78D）上の電圧振幅は零である。温度センサ（98）は、リモートコントローラ（72）が設置された室内の気温を検出して、リモートコントローラ（72）内のプロセッサ（96）に通知する。プロセッサ（96）は、検出された温度が所定値より大きい場合には、スイッチ（92A）を閉じる。スイッチ（92A）が閉じられると、信号線（78A）上の電圧は、変圧器（52）の２次側から出力される交流電圧と同じになる。
【００４４】
信号線（78A）上の電圧は、インタフェース回路（69）に入力され、上述のように、プロセッサ（67）がその電圧の振幅の有無を判定する。つまり、リモートコントローラ（72）は、スイッチ（92A）の状態を示す情報を、信号線（78A）における交流電圧の振幅によってプロセッサ（67）に伝送する。スイッチ（92A）が閉じられている場合、プロセッサ（67）は、冷房運転を行うように、空気調和装置（10）を制御する。
【００４５】
プロセッサ（96）は、検出された温度が所定値より小さい場合には、スイッチ（92B）を閉じる。ユーザは、必要に応じてスイッチ（92C,92D）を閉じる。スイッチ（92A）の場合と同様に、リモートコントローラ（72）は、スイッチ（92B,92C,92D）の状態を示す情報を、信号線（78B,78C,78D）における交流電圧の振幅によってプロセッサ（67）に伝送する。スイッチ（92B）が閉じられている場合、プロセッサ（67）は、発熱をするように、ヒーターキット（74）を制御する。スイッチ（92D）が閉じられている場合、プロセッサ（67）は、加湿をするように、加湿ユニット（76）を制御する。
【００４６】
抵抗（94A,94B,94C,94D）のそれぞれの一端も、プロセッサ（67）も接地されており、これらは基準電位が共通である。このため、リモートコントローラ（72）は、スイッチ（92A,92B,92C,92D）の状態に対応した振幅の交流電圧を信号線（78A,78B,78C,78D）に出力し、スイッチ（92A,92B,92C,92D）の状態を示す情報を正しくプロセッサ（67）に伝送することができる。
【００４７】
また、プロセッサ（67）は、変圧器（52）から交流電流が供給されるリモートコントローラ（72）等とヒューズ（61）との間のノード（N1）における電圧を検出する。ヒューズ（61）が溶断していないときには、変圧器（52）の出力電圧がプロセッサ（67）によって検出される。一方、ヒューズ（61）が溶断しているときには、大きく低下した電圧がプロセッサ（67）によって検出される。例えば、変圧器（52）から交流電流が供給される機器に関して誤配線がある場合には、ヒューズ（61）が溶断することがある。
【００４８】
そこで、プロセッサ（67）は、ノード（N1）における電圧から、ヒューズ（61）が溶断していることを検出する。例えば、プロセッサ（67）は、ノード（N1）における電圧の振幅が所定値より小さい場合には、ヒューズ（61）が溶断していると判断する。
【００４９】
プロセッサ（67）等にはヒューズ（62）を経由して電流が供給されているので、ヒューズ（61）が溶断しても、プロセッサ（67）は、空気調和装置（10）の制御を継続することができ、ユーザに異常状態であることを通知することもできる。プロセッサ（67）は、ヒューズ（61）が溶断していると判断した場合には、空気調和装置（10）が正常に運転できないことや誤配線されている可能性があることをユーザに通知してもよいし、空気調和装置（10）の運転を停止してもよい。
【産業上の利用可能性】
【００５０】
以上説明したように、本発明は、空気調和装置の制御装置等について有用である。
【符号の説明】
【００５１】
10  空気調和装置
13  室内ユニット
50  制御装置
52  変圧器（第１変圧器）
54  変圧器（第２変圧器）
61  ヒューズ（第１ヒューズ）
62  ヒューズ（第２ヒューズ）
63  全波整流回路
67  プロセッサ
72  リモートコントローラ
78A,78B,78C,78D  信号線
92A,92B,92C,92D  スイッチ
【図１】
2016125669.tif 000003
【図２】
2016125669.tif 000004
【図３】
2016125669.tif 000005
【図４】
2016125669.tif 000006